(57)【特許請求の範囲】
【請求項１】
遮煙部材が取り付けられた取付部材を、扉の下端に着脱自在に設けた装置において、
前記取付部材は前記扉に上下逆にも取り付け可能に構成されており、前記扉の運搬時又は仮設使用時には前記遮煙部材が扉の上方側を向くように前記取付部材が前記扉に取り付けられ、前記扉の最終調整後には前記遮煙部材が扉の下端から下方へ突出するように前記取付部材が前記扉に取り付けられるように構成したことを特徴とする遮煙部材を備えた扉装置。
【請求項２】
前記遮煙部材は先端に向けて開放された断面ハの字形状部を有する部材であり、前記遮煙部材の運搬時には、前記ハの字形状部の先端相互を結ぶように形状維持部材が取り付けられ、最終調整後には前記形状維持部材を取り外す構成である取り外し自在に設けられていることを特徴とする請求項１に記載の遮煙部材を備えた扉装置。
【請求項３】
遮煙部材が取り付けられた取付部材を、扉の側部に着脱自在に設けた装置において、
前記遮煙部材は断面Ｌ字形状部を有する部材であり、前記遮煙部材の運搬時には、前記Ｌ字形状部の片の先端相互を結ぶように形状維持部材が取り付けられ、据付後には前記形状維持部材を取り外す構成である取り外し自在に設けられていることを特徴とする遮煙部材を備えた扉装置。
【発明の詳細な説明】
【技術分野】
【０００１】
本発明は、遮煙機能を有する扉において、運搬・搬送時に遮煙部材が極力損傷を受けないように考えられた扉装置に関するものである。
【背景技術】
【０００２】
特に、建物内に設置されるエレベータの乗場出入口の扉には、一般に引き戸が用いられ、円滑な開閉動作のために出入口三方枠、敷居、扉相互の間には隙間が設けられている。しかし、万一火災が発生した場合、この隙間から煙が出入することになり、建物内にいる人が煙にまかれてしまう危険があった。
【０００３】
このため最近、出願人は図１０及び図１１に示す遮煙部材を備えた扉装置を提案している。（例えば、特許文献１及び特許文献２参照）
【特許文献１】特願２００２−１７３３０２
【特許文献２】特願２００２−２４２７９８即ち、扉１０の下端には敷居２の溝２ａに嵌入するように遮煙部材３を取付けて扉１０と敷居２との隙間を塞ぐものや、片開き扉の場合には、高速扉１１の側面に遮煙部材４を取り付けて、低速扉１２との隙間を塞ぐものである。
【発明の開示】
【発明が解決しようとする課題】
【０００４】
ところで、このような遮煙部材３及び４は何れも変形しやすく、予め工場で扉に取付けたまま何ら対策を立てないと、特に製作工場から据付現場までの運搬時に損傷してしまう問題が起こりやすかった。
【課題を解決するための手段】
【０００５】
本発明は、遮煙部材が取り付けられた取付部材を、扉の下端に着脱自在に設けた装置において、前記取付部材は前記扉に上下逆にも取り付け可能に構成されており、前記扉の運搬時又は仮設使用時には前記遮煙部材が扉の上方側を向くように前記取付部材が前記扉に取り付けられ、前記扉の最終調整後には前記遮煙部材が扉の下端から下方へ突出するように前記取付部材が前記扉に取り付けられるように構成したものである。
また本発明は、前記遮煙部材は先端に向けて開放された断面ハの字形状部を有する部材であり、前記遮煙部材の運搬時には、前記ハの字形状部の先端相互を結ぶように形状維持部材が取り付けられ、最終調整後には前記形状維持部材を取り外す構成である取り外し自在に設けられているものである。
更に本発明は、遮煙部材が取り付けられた取付部材を、扉の側部に着脱自在に設けた装置において、前記遮煙部材は断面Ｌ字形状部を有する部材であり、前記遮煙部材の運搬時には、前記Ｌ字形状部の片の先端相互を結ぶように形状維持部材が取り付けられ、据付後には前記形状維持部材を取り外す構成である取り外し自在に設けられているものである。
【発明の効果】
【０００６】
本発明は、遮煙部材に形状維持部材を取付けた状態で運搬或いは仮使用するとともに、この遮煙部材を有する取付部材の配置にも工夫を凝らして、変形しにくくするものである。
【発明を実施するための最良の形態】
【０００７】
形状の異なる遮煙部材に合った形状維持部材を設けると共に、遮煙部材を有する取付部材の取付・配置換えを行うだけで扉装置の最終取付けが完了できるものである。
【実施例１】
【０００８】
以下、本発明の一実施例について、図面を用いて説明する。図１は本発明に係る扉装置において、運搬時及びエレベータ仮使用中の状態を示す正面図、図２は図１のＡ−Ａ矢視図、図３は図２における遮煙部材３の拡大斜視図、図４は図２のＸ部拡大図、図５は本発明に係る扉装置において、最終調整後の状態を示す正面図、図６は図５のＢ−Ｂ線矢視図、図７は図５のＹ部拡大図である。
【０００９】
図中、図１０と同一符号のものは同一のものを示すが、２０は扉１０の下端に取付けられた周知のガイドシューで、扉１０の折り返し部１０ａの外面に当接するように設けられている。２１は遮煙部材３が嵌合された本発明に係る、例えばＬ字状の取付部材で、運搬時には遮煙部材３が上向きになるように、最終調整時には下向きになるように取付けられている。特に、最終調整時には扉１０の折り返し部１０ａの内面に載るように当接させる。そして、この遮煙部材３の先端には例えば、形状維持部材３ａが貼付されており、最終調整後にはこれを取り外す。したがって、発送・運搬時や仮設使用中にこの遮煙部材３が波打つなどの変形を起こす虞はなく、ゴミが中に詰まったりすることもない。
【実施例２】
【００１０】
図８は片開き扉タイプの遮煙部材３０取付状態を示す部分平面図、図９は図８の遮煙部材３０に設けられた形状維持部材３０ａを示す斜視図である。この場合、取付部材３１を介して高速扉１１に遮煙部材３０（形状維持部材３０ａを備えた状態）を取付けた状態まま梱包して運搬を行い、エレベータの据付時に直ちに形状維持部材３０ａを取り外す。前述の遮煙部材３の場合とは異なり、仮設使用時に遮煙部材３０の損傷する虞がほとんどないため、仮設使用時から通常の使用状態のまま使用することになる。
【産業上の利用可能性】
【００１１】
このように、異なる二つの遮煙部材について具体的に例を挙げて説明しているが、これは別の形状の遮煙部材であってもよく、同じように実施できることは明らかである。
【図面の簡単な説明】
【００１２】
【図１】本発明に係る扉装置において、運搬時及びエレベータ仮使用中の状態を示す正面図である。
【図２】図１のＡ−Ａ矢視図である。
【図３】図２における遮煙部材３の拡大斜視図である。
【図４】図２のＸ部拡大図である。
【図５】本発明に係る扉装置において、最終調整後の状態を示す正面図である。
【図６】図５のＢ−Ｂ線矢視図である。
【図７】図５のＹ部拡大図である。
【図８】片開き扉タイプの遮煙部材３０取付状態を示す部分平面図である。
【図９】図８の遮煙部材３０に設けられた形状維持部材３０ａを示す斜視図である。
【図１０】遮煙部材を備えた扉の一例を示す側断面図である。
【図１１】遮煙部材を備えた扉の一例を示す平面断面図である。
【符号の説明】
【００１３】
２  敷居
２ａ 敷居２の溝
３，４，３０  遮煙部材
３ａ，３０ａ 形状維持部材
１０ 扉
１０ａ 扉１０の折り返し部
１１ 高速扉
２０ ガイドシュー
２１ 遮煙部材３の取付部材
３１ 遮煙部材３０の取付部材
【図１】
0004403743.tif 000002
【図２】
0004403743.tif 000003
【図３】
0004403743.tif 000004
【図４】
0004403743.tif 000005
【図５】
0004403743.tif 000006
【図６】
0004403743.tif 000007
【図７】
0004403743.tif 000008
【図８】
0004403743.tif 000009
【図９】
0004403743.tif 000010
【図１０】
0004403743.tif 000011
【図１１】
0004403743.tif 000012